(57)【要約】【課題】モータケーシングを含む送風部を最小化し、デザイン性を向上させることができる扇風機を提供すること。【解決手段】モータ９が収容されたモータケーシング１０と前記モータ９によって回転させられる軸流ファン１４を有する送風部４と、この送風部４を支持する支柱３とを有する扇風機１において、前記モータケーシング１０を挟んで前記軸流ファン１４の反対側（即ち、反軸流ファン１４側）に、前記モータ９が収容された部位である前記ケーシング本体１５における軸直断面積（π（Ｄ１／２）２）よりも小さい軸直断面積（π（Ｄ４／２）２）を有する延長部１１が形成されると共に、この延長部１１が前記支柱３の上部に接続されるものであり、前記送風部４における無駄なスペースを削減することができるので、前記送風部４を小型化することができる。【選択図】図５
2018178789.tif 000002
【特許請求の範囲】
【請求項１】
モータが収容されたモータケーシングと前記モータによって回転させられる軸流ファンを有する送風部と、この送風部を支持する支柱とを有する扇風機において、
前記モータケーシングの反軸流ファン側に、前記モータが収容された部位における前記モータケーシングの軸直断面積よりも小さい軸直断面積を有する延長部が形成されると共に、この延長部が前記支柱の上部に接続されることを特徴とする扇風機。
【請求項２】
内部に首振りモータが収容された基部を有し、この基部に前記支柱の下部が接続されると共に、前記首振りモータによって前記支柱が回動可能とされることを特徴とする請求項１記載の扇風機。
【請求項３】
前記モータケーシングが、前記軸流ファンの中央ハブ内に収容される部位を有することを特徴とする請求項１記載の扇風機。
【請求項４】
前記延長部に操作手段が設けられたことを特徴とする請求項１記載の扇風機。
【発明の詳細な説明】
【技術分野】
【０００１】
本発明は、軸流ファンを用いた扇風機に関するものである。
【背景技術】
【０００２】
従来、この種の扇風機としては、電動機（本願発明のモータに相当する）が収容された電動機カバー（本願発明のモータケーシングに相当する）と、前記電動機によって回転させられる羽根（本願発明の軸流ファンに相当する）と、前記電動機カバーに上部が接続される支柱とを有する扇風機が知られている（例えば、特許文献１参照。）。
【先行技術文献】
【特許文献】
【０００３】
【特許文献１】特許第５６９３４９９号公報
【発明の概要】
【発明が解決しようとする課題】
【０００４】
近年、扇風機のファンの駆動源として、直流モータが用いられるようになってきている。直流モータは、従来の交流モータに比べて小型なので、モータケーシングと軸流ファンを含む送風部を小型化することが可能となる。しかしながら、このような従来の扇風機においては、モータの小型化を生かし切れておらず、モータケーシングをやや小型化している程度に留まっていた。
【０００５】
本発明は以上の問題点を解決し、モータケーシングを含む送風部を最小化し、デザイン性を向上させることができる扇風機を提供することを目的とする。
【課題を解決するための手段】
【０００６】
本発明の請求項１に記載の扇風機は、モータが収容されたモータケーシングと前記モータによって回転させられる軸流ファンを有する送風部と、この送風部を支持する支柱とを有する扇風機において、前記モータケーシングの反軸流ファン側に、前記モータが収容された部位における前記モータケーシングの軸直断面積よりも小さい軸直断面積を有する延長部が形成されると共に、この延長部が前記支柱の上部に接続されるものである。
【０００７】
また、本発明の請求項２に記載の扇風機は、請求項１において、内部に首振りモータが収容された基部を有し、この基部に前記支柱の下部が接続されると共に、前記首振りモータによって前記支柱が回動可能とされるものである。
【０００８】
また、本発明の請求項３に記載の扇風機は、請求項１において、前記モータケーシングが、前記軸流ファンの中央ハブ内に収容される部位を有するものである。
【０００９】
更に、本発明の請求項４に記載の扇風機は、請求項１において、前記延長部に操作手段が設けられたものである。
【発明の効果】
【００１０】
本発明の請求項１に記載の扇風機は、以上のように構成することにより、送風部を小型化することができる。
【００１１】
なお、内部に首振りモータが収容された基部を有し、この基部に前記支柱の下部が接続されると共に、前記首振りモータによって前記支柱が回動可能とされることで、前記モータケーシングに首振りモータを収容する必要がなくなるので、前記送風部をより小型化することができる。
【００１２】
また、前記モータケーシングが、前記軸流ファンの中央ハブ内に収容される部位を有することで、前記軸流ファンの前端から前記モータケーシングの後端までの寸法を小さくすることができるので、前記送風部をより小型化することができる。
【００１３】
更に、前記延長部に操作手段が設けられることで、使用者が立ったまま延長部の操作を行うことができるので、操作性を向上させることができる。
【図面の簡単な説明】
【００１４】
【図１】本発明の第１の実施形態を示す扇風機の正面図である。
【図２】同、右側面図である。
【図３】同、平面図である。
【図４】同、Ａ−Ａ断面図である。
【図５】同、要部の分解断面図である。
【図６】本発明の第２の実施形態を示す扇風機の送風部の右側面図である。
【図７】本発明の第３の実施形態を示す扇風機の送風部の右側面図である。
【図８】本発明の第４の実施形態を示す扇風機の送風部の右側面図である。
【発明を実施するための形態】
【００１５】
以下、本発明の第１の実施形態について、図１乃至図５に基づいて説明する。１は本発明の扇風機である。この扇風機１は、円盤状の基部２と、この基部２の中央に設けられる円筒状の支柱３と、この支柱３の上部に取り付けられる送風部４とを有して構成される。
【００１６】
前記基部２は、その内部に、ステッピングモータ等の首振りモータ５と、この首振りモータ５によって回転させられる平歯車６とを有する。そして、この平歯車６は、前記支柱３に連結される。従って、前記支柱３は、前記基部２に対して回転可能である。なお、７は前記支柱３を軸支する軸受である。また、８は図示しないリモコンの受光部である。
【００１７】
前記送風部４は、直流モータ等のモータ９が収容されるモータケーシング１０と、このモータケーシング１０の後方に延びて設けられる延長部１１と、前記モータケーシング１０に取り付けられる後ガード１２と、この後ガード１２の前側に取り付けられる前ガード１３と、前記後ガード１２と前ガード１３とで囲まれると共に前記モータケーシング１０の前側に設けられる軸流ファン１４とを有する。即ち、前記延長部１１は、前記モータケーシング１０を挟んで前記軸流ファン１４の反対側（反軸流ファン１４側）に形成される。なお、前記後ガード１２及び前ガード１３は、複数の金属線材を用いて構成される。
【００１８】
前記モータケーシング１０について詳述する。このモータケーシング１０は、前側に設けられたケーシング本体１５と、このケーシング本体１５の後方に設けられてこのケーシング本体１５よりも径大なフランジ部１６とを結合させて構成される。前記ケーシング本体１５は、図４の姿勢において、軸方向が前後方向となる略円筒状に形成される。なお、このケーシング本体１５における後述する締付体１８よりも前となる部分の外径はＤ１である。そして、これらケーシング本体１５とフランジ部１６とで囲まれる空間に前記モータ９が収容される。このモータ９は、前記ケーシング本体１５の内側に位置する。また、このモータ９は、図４の姿勢において、軸方向が前後方向となる略円筒状に形成される。なお、このモータ９の外径はＤ２である。また、前記ケーシング本体１５の前部中央には、図示しない貫通孔が形成されており、この貫通孔から前記モータ９の回転軸１７が突出する。更に、前記ケーシング本体１５には、締付体１８が着脱可能に取り付けられる。この締付体１８は、前記フランジ部１６と略同径に形成される。また、前記締付体１８は、前記ケーシング本体１５に対し螺合される。なお、前記締付体１８の正面側には、指を掛けるための複数の突起部１９が形成される。そして、前記締付体１８と前記フランジ部１６によって前記後ガード１２の中央部を挟持することで、この後ガード１２が前記モータケーシング１０に対し固定される。従って、前記ケーシング本体１５は、その大部分が前記後ガード１２と前ガード１３とで囲まれる領域に位置する。
【００１９】
また、前記ケーシング本体１５の前記締付体１８よりも前となる部分の外径Ｄ１は、前記軸流ファン１４の中央ハブ２０の内径Ｄ３よりもやや小さい。即ち、Ｄ３＞Ｄ１＞Ｄ２である。そして、前記モータケーシング１０の軸流ファン側である前記ケーシング本体１５の前部は、前記軸流ファン１４の中央ハブ２０内に収容される。これによって、前記軸流ファン１４の前端から前記モータケーシング１０の後端までの寸法を小さくすることができるので、前記送風部４を小型化することができる。なお、前記軸流ファン１４は、取付ネジ２１によって前記回転軸１７に取り付けられる。
【００２０】
前記延長部１１は略円筒状であり、前記モータケーシング１０のフランジ部１６の中央から後方に突出して設けられる。そして、前記延長部１１は、前記モータケーシング１０及び前記モータ９と同軸状に設けられる。また、前記延長部１１の上面部には、操作手段２２が設けられる。この操作手段２２は、主操作手段２２Ａ及び副操作手段２２Ｂを有する。前記主操作手段２２Ａは物理スイッチであり、前記軸流ファン１４の回転及び停止の操作を行うものである。また、前記副操作手段２２Ｂはタッチスイッチであり、前記軸流ファン１４の回転速度の調節、前記送風部４の首振りの選択、及びオフタイマーの設定についての操作を行うものである。また、前記延長部１１の内部には、スイッチ基板２２Ｃが収容される。更に、前記延長部１１の下面部の中央よりもやや前となる部分には、切欠部２３が形成され、この切欠部２３から前記支柱３の上端が前記延長部１１内に挿入される。そして、前記支柱３の上端は、前記延長部１１内において、前記送風部４の俯仰角度を調整するための上下首振り機構２４に接続される。なお、前記延長部１１は、前記モータ９が収容されないので、その外寸（本実施形態の場合、外径）を細くすることができる。即ち、前記延長部１１の外径Ｄ４は、前記ケーシング本体１５の前記締付体１８よりも前となる部分の外径Ｄ１よりも小さい。即ち、前記延長部１１の軸直断面積は、前記モータ９が収容された前記ケーシング本体１５の軸直断面積よりも小さい。なお、ここで言う軸直断面積とは、中空部分を含む断面積であり、外殻部品や内蔵部品のみの断面積を指すものではない。本実施形態では、前記延長部１１の軸直断面積は、直径Ｄ４の円の面積（π（Ｄ４／２）２）である。同様に、前記ケーシング本体１５の軸直断面積は、直径Ｄ１の円の面積（π（Ｄ１／２）２）である。更に、前記延長部１１の外径Ｄ４は、前記モータ９の外径Ｄ２よりも小さい。即ち、前記延長部１１の軸直断面積は、前記モータ９の軸直断面積（π（Ｄ２／２）２）よりも小さい。従って、Ｄ３＞Ｄ１＞Ｄ２＞Ｄ４である。なお、本実施形態において、Ｄ４は４５ｍｍ前後である。また、前記支柱３は、前記延長部１１に挿入されることから、少なくともその上端部において、その横幅が前記延長部１１の外径Ｄ４よりも細く形成される。本実施形態の場合、前記支柱３が円筒状であることから、その外径Ｄ５は前記延長部１１の外径Ｄ４よりも小さい（Ｄ４＞Ｄ５）。
【００２１】
なお、前記上下首振り機構２４は、無段階に回動すると共に回動範囲内の任意の位置で摩擦により保持される、いわゆるトルクヒンジと呼ばれる機構が用いられる。このトルクヒンジは、凹凸係合等を利用して多段階に保持される機構と比べて小型にできるので、小径の前記延長部１１の内部であっても設置が可能である。なお、本発明の構造では、前記支柱３よりも前方に前記モータ９、後ガード１２、前ガード１３及び軸流ファン１４が位置することで、前記送風部４の重心が前寄りとなる。このため、前記上下首振り機構２４には、重力によって、前記送風部４の前方を下向きに傾ける力が加わる。従って、前記上下首振り機構２４を構成するトルクヒンジとして、前記送風部４の姿勢を保つのに十分なトルクを有するものが用いられる。また、前記切欠部２３と前記支柱３との間は、図示しないシートによって塞がれる。そして、このシートによって、使用者の指が前記切欠部２３内に入るのを抑制することができる。これによって、使用者が前記切欠部２３と支柱３とで指を挟んでしまう虞を減ずることができる。
【００２２】
そして、前述したように、前記モータ９が前記モータケーシング１０に収容されると共に、このモータケーシング１０の後方に、前記モータ９が収容されない前記延長部１１を設けたことで、前記送風部４における無駄なスペースを削減して前記送風部４を小型化することができるので、デザイン性を向上させることができる。本実施形態では、前記延長部１１に前記操作手段２２のスイッチ基板２２Ｃ及び上下首振り機構２４が設けられるため、前記延長部１１は、前記操作手段２２のスイッチ基板２２Ｃ及び上下首振り機構２４が収容される大きさであれば十分である。また、前記モータ９自体も直流モータであって小型のものなので、前記モータケーシング１０自体も小型に形成することができる。また、前記モータケーシング１０の軸流ファン１４側となるケーシング本体１５における前記締付体１８よりも前側部分が、前記軸流ファン１４の中央ハブ２０内に収容されることで、前記軸流ファン１４の前端から前記モータケーシング１０の後端までの寸法を小さくすることができるので、前記送風部４をより小型化することができる。更に、従来の扇風機では、首振りモータが送風部に収容される構造が一般的であったが、本発明の扇風機１では、前記首振りモータ５が前記基部２内に収容されるので、前記送風部４をより小型化することができる。
【００２３】
なお、前記軸流ファン１４は、軸方向両端が開放した短円筒状の枠体２５の外周に複数の翼２６からなる翼部２７を設けると共に、前記中央ハブ２０と枠体２５とを複数のスポーク２８からなるスポーク部２９で接続したものである。
【００２４】
次に、本発明の第１の実施形態の作用について説明する。まず使用者は、前記基部２の図示しない電源接続部に、同じく図示しない電源コードの一端を接続すると共に、この電源コードの他端を図示しない交流電源に接続する。このようにすることで、前記扇風機１が作動可能な状態となる。そして、前記延長部１１の上部に設けられた前記操作手段２２を操作することで、前記扇風機１を作動させることができる。なお、この扇風機１は、前記操作手段２２によって、前記軸流ファン１４の回転及び停止、前記軸流ファン１４の回転速度の調節、前記送風部４の首振りの選択、及びオフタイマーの設定について操作可能である。そして、前記操作手段２２が前記延長部１１の上部に設けられることで、使用者が立ったまま前記扇風機１の操作をすることができ、操作性を向上させることができる。そして、前記軸流ファン１４を回転させることで気流が発生することは、従来の扇風機と同様である。
【００２５】
なお、前記軸流ファン１４を回転させると、前記翼部２７が主気流を発生させる。そして、この主気流に伴って、従気流が発生し、前記枠体２５の内側を流通する。
【００２６】
また、前記副操作手段２２Ｂを操作して前記送風部４が首振りするように選択すると、前記基部２に内蔵された首振りモータ５が往復回動する。そして、前記首振りモータ５が往復回動すると、この首振りモータ５の動きが前記平歯車６に伝達され、この平歯車６に接続された前記支柱３が往復回動する。このように、この支柱３が往復回動すると、この支柱３の上端部に設けられた前記送風部４も連動して往復回動する。これによって、前記送風部４が水平方向に首振りしながら、前記軸流ファン１４によって広い範囲に送風することができる。
【００２７】
なお、前記扇風機１を移動させる場合、使用者が把持可能な部位は３箇所ある。第１の把持位置Ｈ１は、前記支柱３の上部である。この支柱３は、前述した通り、外径Ｄ５の細い円筒状であるため、手の小さな人でも持ちやすい。また、第２の把持位置Ｈ２は、前記延長部１１における前記支柱３よりも前の部分である。この位置は、前記扇風機１の重心の直上部に近いため、把持した際の重量バランスに優れ、把持しやすい。但し、この位置は、前記延長部１１の下部に形成した前記切欠部２３に近いので、前記送風部４が前記支柱３に対し相対的に下向き方向に倒れた場合、前記切欠部２３の縁と前記支柱３とで指を挟んでしまう虞がある。このため、前記把持位置Ｈ２を把持する場合、前記延長部１１の前端部を親指と人差し指（及び中指）で掴むように把持するか、又は人差し指（及び中指）で下方から引っ掛けるように把持し、前記扇風機１を傾けないように移動させる。そして、前述した通り、前記上下首振り機構２４がトルクの大きなトルクヒンジを用いて構成されるので、把持位置Ｈ２を把持した際に前記送風部４が上下方向に傾きにくくなっている。更に、第３の把持位置Ｈ３は、前記延長部１１における前記支柱３よりも後の部分である。この位置は、前記扇風機１の重心から外れるため、把持すると前記送風部４が前記支柱３に対し相対的に下向きとなるように傾くので、移動した後で前記送風部４の上下方向の向きを調節する必要がある。一方、把持位置Ｈ３を把持すると、前記切欠部２３の後縁が前記支柱３から離れることになるため、前記切欠部２３の後縁と前記支柱３とで指を挟むことがなく、安全である。
【００２８】
このように、前記支柱３又は前記延長部１１を把持可能な構成とすることで、前記送風部４にハンドル等の把持部を設ける必要がなくなる。そして、このようにハンドル等の把持部を設ける必要がなくなることで、前記軸流ファン１４の後方から吸引される気流がハンドル等の把持部で乱されることがない。これは、特に本発明のように、前記翼部２７が発生させた主気流に従って発生する従気流を前記送風部４の後方から前記枠体２５の内側に流通させるタイプの前記軸流ファン１４を用いた前記扇風機１において、前記従気流を妨げないようにすることができるので有効である。
【００２９】
以上のように本発明は、モータ９が収容されたモータケーシング１０と前記モータ９によって回転させられる軸流ファン１４を有する送風部４と、この送風部４を支持する支柱３とを有する扇風機１において、前記モータケーシング１０を挟んで前記軸流ファン１４の反対側（反軸流ファン１４側）に、前記モータ９が収容された部位である前記モータケーシング１０のケーシング本体１５における軸直断面積（π（Ｄ１／２）２）よりも小さい軸直断面積（π（Ｄ４／２）２）を有する延長部１１が形成されると共に、この延長部１１が前記支柱３の上部に接続されるものであり、前記送風部４における無駄なスペースを削減することができるので、前記送風部４を小型化することができる。
【００３０】
また、内部に首振りモータ５が収容された基部２を有し、この基部２に前記支柱３の下部が接続されると共に、前記首振りモータ５によって前記支柱３が回動可能とされることで、前記モータケーシング１０に首振りモータ５を収容する必要がなくなるので、前記送風部４をより小型化することができる。
【００３１】
また、前記モータケーシング１０の前記軸流ファン１４側が、この軸流ファン１４の中央ハブ２０内に収容されることで、前記軸流ファン１４の前端から前記モータケーシング１０の後端までの寸法を小さくすることができるので、前記送風部４をより小型化することができる。
【００３２】
更に、前記延長部１１に操作手段２２が設けられることで、使用者が立ったまま前記操作手段２２の操作を行うことができるので、操作性を向上させることができる。
【００３３】
次に、本発明の第２の実施形態について、図６に基づいて説明する。なお、第２の実施形態において、延長部３３以外の構成は、前述した第１の実施形態における構成と同一であるため、その説明を省略する。
【００３４】
３１は本発明の扇風機である。この扇風機３１は、円盤状の基部２と、この基部２の中央に設けられる円筒状の支柱３と、この支柱３の上部に取り付けられる送風部３２とを有して構成される。
【００３５】
前記送風部３２は、直流モータ等のモータ９が収容されるモータケーシング１０と、このモータケーシング１０の後方に延びて設けられる前記延長部３３と、前記モータケーシング１０に取り付けられる後ガード１２と、この後ガード１２の前側に取り付けられる前ガード１３と、前記後ガード１２と前ガード１３とで囲まれると共に前記モータケーシング１０の前側に設けられる軸流ファン１４とを有する。即ち、前記延長部３３は、前記モータケーシング１０を挟んで前記軸流ファン１４の反対側（反軸流ファン１４側）に形成される。
【００３６】
前記延長部３３は略円筒状であり、前記モータケーシング１０のフランジ部１６の中央から後方に突出して設けられる。そして、前記延長部３３は、前記モータケーシング１０及び前記モータ９と同軸状に設けられる。また、前記延長部３３の上面部には、操作手段２２が設けられると共に、前記延長部３３の内部には、スイッチ基板２２Ｃが収容される。更に、前記延長部３３の下面部の中央よりもやや前となる部分には、切欠部２３が形成され、この切欠部２３から前記支柱３の上端が前記延長部３３内に挿入される。そして、前記延長部３３の後端部の下部には、突起部３４が形成される。また、前記支柱３の上端は、前記延長部３３内において、前記送風部４の俯仰角度を調整するための上下首振り機構２４に接続される。なお、前記延長部３３は、前記モータ９が収容されないので、その外寸（本実施形態の場合、外径）を細くすることができる。即ち、前記延長部３３の前記突起部３４を除いた部分の外径Ｄ４は、前記ケーシング本体１５の前記締付体１８よりも前となる部分の外径Ｄ１よりも小さい。即ち、前記延長部３３の軸直断面積は、前記モータ９が収容された前記ケーシング本体１５の軸直断面積よりも小さい。本実施形態では、前記延長部３３の軸直断面積は、直径Ｄ４の円の面積（π（Ｄ４／２）２）である。同様に、前記ケーシング本体１５の軸直断面積は、直径Ｄ１の円の面積（π（Ｄ１／２）２）である。更に、前記延長部３３の外径Ｄ４は、前記モータ９の外径Ｄ２よりも小さい。即ち、前記延長部３３の軸直断面積は、前記モータ９の軸直断面積（π（Ｄ２／２）２）よりも小さい。なお、本実施形態において、前記突起部３４を除いた前記延長部３３の外径Ｄ４は４５ｍｍ前後である。また、前記支柱３は、前記延長部３３に挿入されることから、少なくともその上端部において、その横幅が前記延長部３３の外径Ｄ４よりも細く形成される。本実施形態の場合、前記支柱３が円筒状であることから、その外径Ｄ５は、前記突起部３４を除いた前記延長部３３の外径Ｄ４よりも小さい。
【００３７】
なお、前記上下首振り機構２４は、無段階に回動すると共に回動範囲内の任意の位置で摩擦により保持される、いわゆるトルクヒンジと呼ばれる機構が用いられる。このトルクヒンジは、凹凸係合等を利用して多段階に保持される機構と比べて小型にできるので、小径の前記延長部３３の内部であっても設置が可能である。なお、本発明の構造では、前記支柱３よりも前方に前記モータ９、後ガード１２、前ガード１３及び軸流ファン１４が位置することで、前記送風部３２の重心が前寄りとなる。このため、前記上下首振り機構２４には、重力によって、前記送風部３２の前方を下向きに傾ける力が加わる。従って、前記上下首振り機構２４を構成するトルクヒンジとして、前記送風部３２の姿勢を保つのに十分なトルクを有するものが用いられる。
【００３８】
そして、前述したように、前記モータ９が前記モータケーシング１０に収容されると共に、このモータケーシング１０の後方に、前記モータ９が収容されない前記延長部３３を設けたことで、前記送風部３２における無駄なスペースを削減して前記送風部３２を小型化することができるので、デザイン性を向上させることができる。本実施形態では、前記延長部３３に前記操作手段２２のスイッチ基板２２Ｃ及び上下首振り機構２４が設けられるため、前記延長部３３は、前記操作手段２２のスイッチ基板２２Ｃ及び上下首振り機構２４が収容される大きさであれば十分である。また、前記モータケーシング１０の軸流ファン１４側となるケーシング本体１５における前記締付体１８よりも前側部分が、前記軸流ファン１４の中央ハブ２０内に収容されることで、前記軸流ファン１４の前端から前記モータケーシング１０の後端までの寸法を小さくすることができるので、前記送風部３２をより小型化することができる。更に、従来の扇風機では、首振りモータが送風部に収容される構造が一般的であったが、本発明の扇風機３１では、前記首振りモータ５が前記基部２内に収容されるので、前記送風部３２をより小型化することができる。
【００３９】
次に、本発明の第２の実施形態の作用について説明する。まず使用者は、前記基部２の図示しない電源接続部に、同じく図示しない電源コードの一端を接続すると共に、この電源コードの他端を図示しない交流電源に接続する。このようにすることで、前記扇風機３１が作動可能な状態となる。そして、前記延長部３３の上部に設けられた前記操作手段２２を操作することで、前記扇風機３１を作動させることができる。なお、この扇風機３１は、前記操作手段２２によって、前記軸流ファン１４の回転及び停止、前記軸流ファン１４の回転速度の調節、前記送風部３２の首振りの選択、及びオフタイマーの設定について操作可能である。そして、前記操作手段２２が前記延長部３３の上部に設けられることで、使用者が立ったまま前記扇風機３１の操作をすることができ、操作性を向上させることができる。そして、前記軸流ファン１４を回転させることで気流が発生することは、従来の扇風機と同様である。
【００４０】
また、前記副操作手段２２Ｂを操作して前記送風部３２が首振りするように選択すると、前記基部２に内蔵された首振りモータ５が往復回動する。そして、前記首振りモータ５が往復回動すると、この首振りモータ５の動きが前記平歯車６に伝達され、この平歯車６に接続された前記支柱３が往復回動する。このように、この支柱３が往復回動すると、この支柱３の上端部に設けられた前記送風部３２も連動して往復回動する。これによって、前記送風部３２が水平方向に首振りしながら、前記軸流ファン１４によって広い範囲に送風することができる。
【００４１】
なお、前記扇風機３１を移動させる場合、使用者が把持可能な部位は３箇所ある。第１の把持位置Ｈ１は、前記支柱３の上部である。この支柱３は、前述した通り、外径の細い円筒状であるため、手の小さな人でも持ちやすい。また、第２の把持位置Ｈ２は、前記延長部３３における前記支柱３よりも前の部分である。この位置は、前記扇風機３１の重心の直上部に近いため、把持した際の重量バランスに優れ、把持しやすい。但し、この位置は、前記延長部３３の下部に形成した前記切欠部２３に近いので、前記送風部３２が前記支柱３に対し相対的に下向き方向に倒れた場合、前記切欠部２３の縁と前記支柱３とで指を挟んでしまう虞がある。このため、前記把持位置Ｈ２を把持する場合、前記延長部３３の前端部を親指と人差し指（及び中指）で掴むように把持するか、又は人差し指（及び中指）で下方から引っ掛けるように把持し、前記扇風機３１を傾けないように移動させる。そして、前述した通り、前記上下首振り機構２４がトルクの大きなトルクヒンジを用いて構成されるので、把持位置Ｈ２を把持した際に前記送風部３２が上下方向に傾きにくくなっている。更に、第３の把持位置Ｈ３は、前記延長部３３における前記支柱３よりも後の部分である。この位置は、前記扇風機３１の重心から外れるため、把持すると前記送風部３２が前記支柱３に対し相対的に下向きとなるように傾くので、移動した後で前記送風部３２の上下方向の向きを調節する必要がある。一方、把持位置Ｈ３を把持すると、前記切欠部２３の後縁が前記支柱３から離れることになるため、前記切欠部２３の後縁と前記支柱３とで指を挟むことがなく、安全である。また、前記把持位置Ｈ３を把持すると、前記送風部３２が前記支柱３に対し相対的に下向きとなるように傾くため、使用者が手を滑らせやすくなるが、前述した通り、前記延長部３３の後端部の下部に前記突起部３４が形成されていることで、この突起部３４が使用者の手の指に引っ掛かり、前記扇風機３１を落としにくくすることができる。
【００４２】
このように、前記支柱３又は前記延長部３３を把持可能な構成とすることで、前記送風部３２にハンドル等の把持部を設ける必要がなくなる。そして、このようにハンドル等の把持部を設ける必要がなくなることで、前記軸流ファン１４の後方から吸引される気流がハンドル等の把持部で乱されることがない。これは、特に本発明のように、前記翼部２７が発生させた主気流に従って発生する従気流を前記送風部３２の後方から前記枠体２５の内側に流通させるタイプの前記軸流ファン１４を用いた前記扇風機３１において、前記従気流を妨げないようにすることができるので有効である。
【００４３】
以上のように本発明は、モータ９が収容されたモータケーシング１０と前記モータ９によって回転させられる軸流ファン１４を有する送風部３２と、この送風部３２を支持する支柱３とを有する扇風機３１において、前記モータケーシング１０を挟んで前記軸流ファン１４の反対側（反軸流ファン１４側）に、前記モータ９が収容された部位である前記モータケーシング１０のケーシング本体１５における軸直断面積（π（Ｄ１／２）２）よりも小さい軸直断面積（π（Ｄ４／２）２）を有する延長部３３が形成されると共に、この延長部３３が前記支柱３の上部に接続されるものであり、前記送風部３２における無駄なスペースを削減することができるので、前記送風部３２を小型化することができる。
【００４４】
また、内部に首振りモータ５が収容された基部２を有し、この基部２に前記支柱３の下部が接続されると共に、前記首振りモータ５によって前記支柱３が回動可能とされることで、前記モータケーシング１０に首振りモータ５を収容する必要がなくなるので、前記送風部３２をより小型化することができる。
【００４５】
また、前記モータケーシング１０の前記軸流ファン１４側が、この軸流ファン１４の中央ハブ２０内に収容されることで、前記軸流ファン１４の前端から前記モータケーシング１０の後端までの寸法を小さくすることができるので、前記送風部３２をより小型化することができる。
【００４６】
更に、前記延長部３３に操作手段２２が設けられることで、使用者が立ったまま前記操作手段２２の操作を行うことができるので、操作性を向上させることができる。
【００４７】
次に、本発明の第３の実施形態について、図７に基づいて説明する。なお、第３の実施形態において、延長部４３以外の構成は、前述した第１及び第２の実施形態における構成と同一であるため、その説明を省略する。
【００４８】
４１は本発明の扇風機である。この扇風機４１は、円盤状の基部２と、この基部２の中央に設けられる円筒状の支柱３と、この支柱３の上部に取り付けられる送風部４２とを有して構成される。
【００４９】
前記送風部４２は、直流モータ等のモータ９が収容されるモータケーシング１０と、このモータケーシング１０の後方に延びて設けられる前記延長部４３と、前記モータケーシング１０に取り付けられる後ガード１２と、この後ガード１２の前側に取り付けられる前ガード１３と、前記後ガード１２と前ガード１３とで囲まれると共に前記モータケーシング１０の前側に設けられる軸流ファン１４とを有する。即ち、前記延長部４３は、前記モータケーシング１０を挟んで前記軸流ファン１４の反対側（反軸流ファン１４側）に形成される。
【００５０】
前記延長部４３は略円筒状であり、前記モータケーシング１０のフランジ部１６の中央から後方に突出して設けられる。そして、前記延長部４３は、前記モータケーシング１０及び前記モータ９と同軸状に設けられる。また、前記延長部４３の上面部には、操作手段２２が設けられると共に、前記延長部４３の内部には、スイッチ基板２２Ｃが収容される。更に、前記延長部４３の下面部の中央よりもやや前となる部分には、切欠部２３が形成され、この切欠部２３から前記支柱３の上端が前記延長部４３内に挿入される。そして、前記延長部４３の切欠部２３の前端部及び後端部の下部には、それぞれ前突起部４４及び後突起部４５が形成される。また、前記支柱３の上端は、前記延長部４３内において、前記送風部４２の俯仰角度を調整するための上下首振り機構２４に接続される。なお、前記延長部４３は、前記モータ９が収容されないので、その外寸（本実施形態の場合、外径）を細くすることができる。即ち、前記延長部４３の前記突起部４４，４５を除いた部分の外径Ｄ４は、前記ケーシング本体１５の前記締付体１８よりも前となる部分の外径Ｄ１よりも小さい。即ち、前記延長部４３の軸直断面積は、前記モータ９が収容された前記ケーシング本体１５の軸直断面積よりも小さい。本実施形態では、前記延長部４３の軸直断面積は、直径Ｄ４の円の面積（π（Ｄ４／２）２）である。同様に、前記ケーシング本体１５の軸直断面積は、直径Ｄ１の円の面積（π（Ｄ１／２）２）である。更に、前記延長部４３の外径Ｄ４は、前記モータ９の外径Ｄ２よりも小さい。即ち、前記延長部４３の軸直断面積は、前記モータ９の軸直断面積（π（Ｄ２／２）２）よりも小さい。なお、本実施形態において、前記突起部４４，４５を除いた前記延長部４３の外径Ｄ４は４５ｍｍ前後である。また、前記支柱３は、前記延長部４３に挿入されることから、少なくともその上端部において、その横幅が前記延長部４３の外径Ｄ４よりも細く形成される。本実施形態の場合、前記支柱３が円筒状であることから、その外径Ｄ５は、前記突起部４４，４５を除いた前記延長部４３の外径Ｄ４よりも小さい。
【００５１】
なお、前記上下首振り機構２４は、無段階に回動すると共に回動範囲内の任意の位置で摩擦により保持される、いわゆるトルクヒンジと呼ばれる機構が用いられる。このトルクヒンジは、凹凸係合等を利用して多段階に保持される機構と比べて小型にできるので、小径の前記延長部４３の内部であっても設置が可能である。なお、本発明の構造では、前記支柱３よりも前方に前記モータ９、後ガード１２、前ガード１３及び軸流ファン１４が位置することで、前記送風部４２の重心が前寄りとなる。このため、前記上下首振り機構２４には、重力によって、前記送風部４２の前方を下向きに傾ける力が加わる。従って、前記上下首振り機構２４を構成するトルクヒンジとして、前記送風部４２の姿勢を保つのに十分なトルクを有するものが用いられる。
【００５２】
そして、前述したように、前記モータ９が前記モータケーシング１０に収容されると共に、このモータケーシング１０の後方に、前記モータ９が収容されない前記延長部４３を設けたことで、前記送風部４２における無駄なスペースを削減して前記送風部４２を小型化することができるので、デザイン性を向上させることができる。本実施形態では、前記延長部４３に前記操作手段２２のスイッチ基板２２Ｃ及び上下首振り機構２４が設けられるため、前記延長部４３は、前記操作手段２２のスイッチ基板２２Ｃ及び上下首振り機構２４が収容される大きさであれば十分である。また、前記モータケーシング１０の軸流ファン１４側となるケーシング本体１５における前記締付体１８よりも前側部分が、前記軸流ファン１４の中央ハブ２０内に収容されることで、前記軸流ファン１４の前端から前記モータケーシング１０の後端までの寸法を小さくすることができるので、前記送風部４２をより小型化することができる。更に、従来の扇風機では、首振りモータが送風部に収容される構造が一般的であったが、本発明の扇風機４１では、前記首振りモータ５が前記基部２内に収容されるので、前記送風部４２をより小型化することができる。
【００５３】
次に、本発明の第３の実施形態の作用について説明する。まず使用者は、前記基部２の図示しない電源接続部に、同じく図示しない電源コードの一端を接続すると共に、この電源コードの他端を図示しない交流電源に接続する。このようにすることで、前記扇風機４１が作動可能な状態となる。そして、前記延長部４３の上部に設けられた前記操作手段２２を操作することで、前記扇風機４１を作動させることができる。なお、この扇風機４１は、前記操作手段２２によって、前記軸流ファン１４の回転及び停止、前記軸流ファン１４の回転速度の調節、前記送風部４２の首振りの選択、及びオフタイマーの設定について操作可能である。そして、前記操作手段２２が前記延長部４３の上部に設けられることで、使用者が立ったまま前記扇風機４１の操作をすることができ、操作性を向上させることができる。そして、前記軸流ファン１４を回転させることで気流が発生することは、従来の扇風機と同様である。
【００５４】
また、前記副操作手段２２Ｂを操作して前記送風部４２が首振りするように選択すると、前記基部２に内蔵された首振りモータ５が往復回動する。そして、前記首振りモータ５が往復回動すると、この首振りモータ５の動きが前記平歯車６に伝達され、この平歯車６に接続された前記支柱３が往復回動する。このように、この支柱３が往復回動すると、この支柱３の上端部に設けられた前記送風部４２も連動して往復回動する。これによって、前記送風部４２が水平方向に首振りしながら、前記軸流ファン１４によって広い範囲に送風することができる。
【００５５】
なお、前記扇風機４１を移動させる場合、使用者が把持可能な部位は３箇所ある。第１の把持位置Ｈ１は、前記支柱３の上部である。この支柱３は、前述した通り、外径の細い円筒状であるため、手の小さな人でも持ちやすい。また、第２の把持位置Ｈ２は、前記延長部４３における前記支柱３よりも前の部分である。この位置は、前記扇風機４１の重心の直上部に近いため、把持した際の重量バランスに優れ、把持しやすい。但し、この位置は、前記延長部４３の下部に形成した前記切欠部２３に近いので、前記送風部４２が前記支柱３に対し相対的に下向き方向に倒れた場合、前記切欠部２３の縁と前記支柱３とで指を挟んでしまう虞がある。このため、前記把持位置Ｈ２を把持する場合、前記延長部４３の前端部を親指と人差し指（及び中指）で掴むように把持するか、又は人差し指（及び中指）で下方から引っ掛けるように把持し、前記扇風機４１を傾けないように移動させる。また、前記延長部４３の下部における前記切欠部２３の前縁部に前記前突起部４４が形成されており、使用者の指が前記前突起部４４に触れることで、この前突起部４４よりも後方では指を挟む虞があることを使用者に知らしめて、安全性を高めることができる。そして、前述した通り、前記上下首振り機構２４がトルクの大きなトルクヒンジを用いて構成されるので、把持位置Ｈ２を把持した際に前記送風部４２が上下方向に傾きにくくなっている。更に、第３の把持位置Ｈ３は、前記延長部４３における前記支柱３よりも後の部分である。この位置は、前記扇風機４１の重心から外れるため、把持すると前記送風部４２が前記支柱３に対し相対的に下向きとなるように傾くので、移動した後で前記送風部４２の上下方向の向きを調節する必要がある。一方、把持位置Ｈ３を把持すると、前記切欠部２３の後縁が前記支柱３から離れることになるため、前記切欠部２３の後縁と前記支柱３とで指を挟むことがなく、安全である。また、前記延長部４３の下部における前記切欠部２３の後縁部に前記後突起部４５が形成されており、使用者の指が前記後突起部４５に触れることで、この前突起部４５よりも前方では指を挟む虞があることを使用者に知らしめて、安全性をより高めることができる。
【００５６】
このように、前記支柱３又は前記延長部４３を把持可能な構成とすることで、前記送風部４２にハンドル等の把持部を設ける必要がなくなる。そして、このようにハンドル等の把持部を設ける必要がなくなることで、前記軸流ファン１４の後方から吸引される気流がハンドル等の把持部で乱されることがない。これは、特に本発明のように、前記翼部２７が発生させた主気流に従って発生する従気流を前記送風部４２の後方から前記枠体２５の内側に流通させるタイプの前記軸流ファン１４を用いた前記扇風機４１において、前記従気流を妨げないようにすることができるので有効である。
【００５７】
以上のように本発明は、モータ９が収容されたモータケーシング１０と前記モータ９によって回転させられる軸流ファン１４を有する送風部４２と、この送風部４２を支持する支柱３とを有する扇風機４１において、前記モータケーシング１０を挟んで前記軸流ファン１４の反対側（反軸流ファン１４側）に、前記モータ９が収容された部位である前記モータケーシング１０のケーシング本体１５における軸直断面積（π（Ｄ１／２）２）よりも小さい軸直断面積（π（Ｄ４／２）２）を有する延長部４３が形成されると共に、この延長部４３が前記支柱３の上部に接続されるものであり、前記送風部４２における無駄なスペースを削減することができるので、前記送風部４２を小型化することができる。
【００５８】
また、内部に首振りモータ５が収容された基部２を有し、この基部２に前記支柱３の下部が接続されると共に、前記首振りモータ５によって前記支柱３が回動可能とされることで、前記モータケーシング１０に首振りモータ５を収容する必要がなくなるので、前記送風部４２をより小型化することができる。
【００５９】
また、前記モータケーシング１０の前記軸流ファン１４側が、この軸流ファン１４の中央ハブ２０内に収容されることで、前記軸流ファン１４の前端から前記モータケーシング１０の後端までの寸法を小さくすることができるので、前記送風部４２をより小型化することができる。
【００６０】
更に、前記延長部４３に操作手段２２が設けられることで、使用者が立ったまま前記操作手段２２の操作を行うことができるので、操作性を向上させることができる。
【００６１】
次に、本発明の第４の実施形態について、図８に基づいて説明する。なお、第４の実施形態において、延長部５３以外の構成は、前述した第１乃至第３の実施形態における構成と同一であるため、その説明を省略する。
【００６２】
５１は本発明の扇風機である。この扇風機５１は、円盤状の基部２と、この基部２の中央に設けられる円筒状の支柱３と、この支柱３の上部に取り付けられる送風部５２とを有して構成される。
【００６３】
前記送風部５２は、直流モータ等のモータ９が収容されるモータケーシング１０と、このモータケーシング１０の後方に延びて設けられる前記延長部５３と、前記モータケーシング１０に取り付けられる後ガード１２と、この後ガード１２の前側に取り付けられる前ガード１３と、前記後ガード１２と前ガード１３とで囲まれると共に前記モータケーシング１０の前側に設けられる軸流ファン１４とを有する。即ち、前記延長部５３は、前記モータケーシング１０を挟んで前記軸流ファン１４の反対側（反軸流ファン１４側）に形成される。
【００６４】
前記延長部５３は略円筒状であり、前記モータケーシング１０のフランジ部１６の中央から後方に突出して設けられる。そして、前記延長部５３は、前記モータケーシング１０及び前記モータ９と同軸状に設けられる。また、前記延長部５３の上面部には、操作手段２２が設けられると共に、前記延長部５３の内部には、スイッチ基板２２Ｃが収容される。更に、前記延長部５３の下面部の中央よりもやや前となる部分には、取付孔５４が形成され、この取付孔５４から前記支柱３の上端が前記延長部５３内に挿入される。なお、前記取付孔５４の内径は前記支柱３の外径とほぼ同一である。また、前記支柱３の上端は、前記延長部５３内において、この延長部５３の軸方向と直交した状態で固定される。なお、前記延長部５３は、前記モータ９が収容されないので、その外寸（本実施形態の場合、外径）を細くすることができる。即ち、前記延長部５３の外径は、前記ケーシング本体１５の前記締付体１８よりも前となる部分の外径よりも小さい。即ち、前記延長部５３の軸直断面積は、前記モータ９が収容された前記ケーシング本体１５の軸直断面積よりも小さい。本実施形態では、前記延長部５３の軸直断面積は、直径Ｄ４の円の面積（π（Ｄ４／２）２）である。同様に、前記ケーシング本体１５の軸直断面積は、直径Ｄ１の円の面積（π（Ｄ１／２）２）である。更に、前記延長部５３の外径Ｄ４は、前記モータ９の外径Ｄ２よりも小さい。即ち、前記延長部５３の軸直断面積は、前記モータ９の軸直断面積（π（Ｄ２／２）２）よりも小さい。なお、本実施形態において、前記延長部５３の外径Ｄ４は４５ｍｍ前後である。また、前記支柱３は、前記延長部５３に挿入されることから、少なくともその上端部において、その横幅が前記延長部５３の外径Ｄ４よりも細く形成される。本実施形態の場合、前記支柱３が円筒状であることから、その外径Ｄ５は、前記延長部５３の外径Ｄ４よりも小さい。
【００６５】
そして、前述したように、前記モータ９が前記モータケーシング１０に収容されると共に、このモータケーシング１０の後方に、前記モータ９が収容されない前記延長部５３を設けたことで、前記送風部５２における無駄なスペースを削減して前記送風部５２を小型化することができるので、デザイン性を向上させることができる。本実施形態では、前記延長部５３に前記操作手段２２のスイッチ基板２２Ｃが設けられるため、前記延長部５３は、前記操作手段２２のスイッチ基板２２Ｃが収容される大きさであれば十分である。また、前記モータケーシング１０の軸流ファン１４側となるケーシング本体１５における前記締付体１８よりも前側部分が、前記軸流ファン１４の中央ハブ２０内に収容されることで、前記軸流ファン１４の前端から前記モータケーシング１０の後端までの寸法を小さくすることができるので、前記送風部５２をより小型化することができる。更に、従来の扇風機では、首振りモータが送風部に収容される構造が一般的であったが、本発明の扇風機５１では、前記首振りモータ５が前記基部２内に収容されるので、前記送風部５２をより小型化することができる。
【００６６】
次に、本発明の第４の実施形態の作用について説明する。まず使用者は、前記基部２の図示しない電源接続部に、同じく図示しない電源コードの一端を接続すると共に、この電源コードの他端を図示しない交流電源に接続する。このようにすることで、前記扇風機５１が作動可能な状態となる。そして、前記延長部５３の上部に設けられた前記操作手段２２を操作することで、前記扇風機５１を作動させることができる。なお、この扇風機５１は、前記操作手段２２によって、前記軸流ファン１４の回転及び停止、前記軸流ファン１４の回転速度の調節、前記送風部５２の首振りの選択、及びオフタイマーの設定について操作可能である。そして、前記操作手段２２が前記延長部５３の上部に設けられることで、使用者が立ったまま前記扇風機５１の操作をすることができ、操作性を向上させることができる。そして、前記軸流ファン１４を回転させることで気流が発生することは、従来の扇風機と同様である。
【００６７】
また、前記副操作手段２２Ｂを操作して前記送風部５２が首振りするように選択すると、前記基部２に内蔵された首振りモータ５が往復回動する。そして、前記首振りモータ５が往復回動すると、この首振りモータ５の動きが前記平歯車６に伝達され、この平歯車６に接続された前記支柱３が往復回動する。このように、この支柱３が往復回動すると、この支柱３の上端部に設けられた前記送風部５２も連動して往復回動する。これによって、前記送風部５２が水平方向に首振りしながら、前記軸流ファン１４によって広い範囲に送風することができる。
【００６８】
なお、前記扇風機５１を移動させる場合、使用者が把持可能な部位は２箇所ある。第１の把持位置ＨＡは、前記支柱３の上部である。この支柱３は、前述した通り、外径の細い円筒状であるため、手の小さな人でも持ちやすい。また、第２の把持位置ＨＢは、前記延長部５３全体である。この位置、特に前記支柱３の周辺から前記フランジ部１６にかけての部分は、前記扇風機５１の重心の直上部に近いため、把持した際の重量バランスに優れ、把持しやすい。また、第１乃至第３の実施形態と異なり、上下首振り機構２４が存在しないので、指を挟む虞がなく安全である。
【００６９】
このように、前記支柱３又は前記延長部５３を把持可能な構成とすることで、前記送風部５２にハンドル等の把持部を設ける必要がなくなる。そして、このようにハンドル等の把持部を設ける必要がなくなることで、前記軸流ファン１４の後方から吸引される気流がハンドル等の把持部で乱されることがない。これは、特に本発明のように、前記翼部２７が発生させた主気流に従って発生する従気流を前記送風部５２の後方から前記枠体２５の内側に流通させるタイプの前記軸流ファン１４を用いた前記扇風機５１において、前記従気流を妨げないようにすることができるので有効である。
【００７０】
以上のように本発明は、モータ９が収容されたモータケーシング１０と前記モータ９によって回転させられる軸流ファン１４を有する送風部５２と、この送風部５２を支持する支柱３とを有する扇風機５１において、前記モータケーシング１０を挟んで前記軸流ファン１４の反対側（反軸流ファン１４側）に、前記モータ９が収容された部位である前記モータケーシング１０のケーシング本体１５における軸直断面積（π（Ｄ１／２）２）よりも小さい軸直断面積（π（Ｄ４／２）２）を有する延長部５３が形成されると共に、この延長部５３が前記支柱３の上部に接続されるものであり、前記送風部５２における無駄なスペースを削減することができるので、前記送風部５２を小型化することができる。
【００７１】
また、内部に首振りモータ５が収容された基部２を有し、この基部２に前記支柱３の下部が接続されると共に、前記首振りモータ５によって前記支柱３が回動可能とされることで、前記モータケーシング１０に首振りモータ５を収容する必要がなくなるので、前記送風部５２をより小型化することができる。
【００７２】
また、前記モータケーシング１０の前記軸流ファン１４側が、この軸流ファン１４の中央ハブ２０内に収容されることで、前記軸流ファン１４の前端から前記モータケーシング１０の後端までの寸法を小さくすることができるので、前記送風部５２をより小型化することができる。
【００７３】
更に、前記延長部５３に操作手段２２が設けられることで、使用者が立ったまま前記操作手段２２の操作を行うことができるので、操作性を向上させることができる。
【００７４】
なお、本発明は以上の実施形態に限定されるものではなく、発明の要旨の範囲内で種々の変形実施が可能である。例えば、上記各実施形態では、前記延長部１１，３３，４３，５３を円筒形状に形成したが、この形状に限定されるものではなく、多角筒形状或いは楕円筒形状に形成しても良い。また、上記各実施形態では、支柱３のみが基部２に対し往復回動するように構成したが、前記基部を上下に分割し、この基部の上部分を支柱と一体に形成し、前記基部の上部分と支柱をいっしょに往復回動させるように構成しても良い。
【符号の説明】
【００７５】
１，３１，４１，５１  扇風機
２  基部
３  支柱
４，３２，４２，５２  送風部
５  首振りモータ
９  モータ
１０  モータケーシング
１１，３３，４３，５３  延長部
１４  軸流ファン
１５  ケーシング本体（モータケーシング）
２０  中央ハブ
２２  操作手段
Ｄ１  モータケーシング１０の直径
Ｄ２  モータ９の直径
Ｄ３  中央ハブ２０の内径
Ｄ４  延長部１１の外径
【図１】
2018178789.tif 000003
【図２】
2018178789.tif 000004
【図３】
2018178789.tif 000005
【図４】
2018178789.tif 000006
【図５】
2018178789.tif 000007
【図６】
2018178789.tif 000008
【図７】
2018178789.tif 000009
【図８】
2018178789.tif 000010